(57)【特許請求の範囲】
【請求項１】
１当量のペンタエリスリトールに０．３〜３．０モル当量のジメチロールプロピオン酸及び４．３〜７モル当量の不飽和モノカルボン酸を１段階でエステル化し得られる多官能モノマー（Ａ）。
【請求項２】
請求項１に記載の多官能モノマー（Ａ）を含有することを特徴とするエネルギー線硬化型樹脂組成物。
【請求項３】
更に、光重合開始剤を含有する請求項２に記載のエネルギー線硬化型樹脂組成物。
【請求項４】
皮膜形成用又は絶縁材料である、請求項２又は請求項３に記載のエネルギー線硬化型樹脂組成物。
【請求項５】
請求項２に記載の樹脂組成物にエネルギー線を照射して得られる硬化物。
【請求項６】
請求項５に記載の硬化物を有する物品。
【発明の詳細な説明】
【技術分野】
【０００１】
本発明はペンタエリスリトールとジメチロールプロピオン酸及び不飽和モノカルボン酸を１段階でエステル化し得られる多官能モノマー（Ａ）に関する。更に本多官能モノマー（Ａ）を含むエネルギー線硬化型樹脂組成物、該組成物を用いたハードコート用組成物、コーティング用組成物、保護膜用組成物、エネルギー線硬化型樹脂組成物、フォトレジストインキ用組成物等のインキ用組成物、絶縁層用組成物、接着剤及びそれらの硬化物、更には該硬化物を有する物品に関する。
【背景技術】
【０００２】
不飽和基を持つ感光性モノマーは単官能モノマーから多官能モノマーに至るまで様々な構造のものが市販されており、塗料、接着剤、電子機器用部品などを中心に広い分野で使用されている。
【０００３】
感光性モノマーに要求される特性は、感度、耐熱性、耐光性、耐湿性、機械的特性、透明性、接着性など様々なものが挙げられるが、一般に高感度な多官能モノマーは粘度が高く、熱硬化系と比較した場合硬化収縮において特に改善が望まれている。
【０００４】
低硬化収縮という特性向上の為に、特許文献１ではオキシラン環構造を持つシルフェニレン化合物が提案されている。
【０００５】
特許文献２及び特許文献３では開始剤に連鎖延長剤、次いで連鎖停止剤を反応させて得られる高分子が提案されている。該高分子を合成する際は、まず開始剤に連鎖延長剤を反応させ、さらに連鎖停止剤を用いて２段階以上で得られている。従って開始剤の水酸基は連鎖延長剤で延長され、連鎖延長剤の水酸基が連鎖停止剤に反応して、高分子が得られている。
【０００６】
【特許文献１】特開２００４−３２３４４２号公報
【特許文献２】特表平７−５０４２１９号公報
【特許文献３】特表２０００−５１１２１９号公報
【発明の開示】
【発明が解決しようとする課題】
【０００７】
本発明は、高感度でありながら低粘度かつ低硬化収縮であることを特徴とする多官能モノマーを提供することにある。
【課題を解決するための手段】
【０００８】
本発明者は、ペンタエリスリトールとジメチロールプロピオン酸及び不飽和モノカルボン酸を１段階でエステル化し得られる多官能モノマー（Ａ）が高感度でありながら低粘度かつ低硬化収縮であることを見出し、本発明を完成するに至った。
【０００９】
本発明の一つは、ペンタエリスリトールとジメチロールプロピオン酸及び不飽和モノカルボン酸を１段階でエステル化し得られる多官能モノマー（Ａ）である。
【００１０】
本発明の一つは、前記多官能モノマー（Ａ）を含有するエネルギー線硬化型樹脂組成物である。該樹脂組成物は更に、光重合開始剤を含有していてもよい。
【００１１】
本発明の一つは、皮膜形成用材料又は絶縁材料として用いられる前記樹脂組成物である。
【００１２】
本発明の一つは、前記樹脂組成物にエネルギー線を照射して得られる硬化物である。
【００１３】
本発明の一つは、前記硬化物を有する物品である。
【発明の効果】
【００１４】
本発明の多官能モノマー（Ａ）はペンタエリスリトールの水酸基にジメチロールプロピオン酸と不飽和モノカルボン酸が反応した構造を有し、高い感度を持ちながら、硬化収縮が低い。本発明の多官能モノマー（Ａ）はペンタエリスリトールの水酸基全てにジメチロールプロピオン酸が反応してジメチロールプロピオン酸の水酸基に不飽和モノカルボン酸が反応した高分子とは異なり、分岐鎖は該高分子ほど伸長しない。従って本発明の多官能モノマー（Ａ）を含む本発明の樹脂組成物は、ハードコート、コーティング、保護膜、インキ、絶縁層、接着剤又はフォトレジストインキに好適である。
【発明を実施するための形態】
【００１５】
本発明の多官能モノマー（Ａ）はペンタエリスリトールとジメチロールプロピオン酸及び不飽和モノカルボン酸を１段階でエステル化して得ることが出来る。
【００１６】
ペンタエリスリトールとジメチロールプロピオン酸と不飽和モノカルボン酸を１段階でエステル化する場合、各原料の仕込み割合に特段の限定はないが、仕込み割合を変えることで本発明の多官能モノマー（Ａ）の特性を調整することができる。例えば、高感度かつ硬化収縮が低いという特性を本発明の多官能モノマー（Ａ）において最も発揮せしめるには、ペンタエリスリトール１モル当量に対してジメチロールプロピオン酸を通常０．３〜３．０モル当量、不飽和モノカルボン酸は通常４．３〜７．０モル当量程度を反応させる。なお、好ましくは、ペンタエリスリトール１当量に対して不飽和モノカルボン酸は４．３〜６．０モル当量、ジメチロールプロピオン酸は０．３〜２．０モル当量をそれぞれ反応させる。不飽和モノカルボン酸の反応量が４．３〜６．０モル当量の場合、感度が優れたものとなる。ペンタエリスリトールに対してジメチロールプロピオン酸を２．０〜３．０モル当量反応させた場合、高感度且つ低硬化収縮といった特性を得ることができるが、本発明の多官能モノマー（Ａ）の粘度はやや高いものとなる。ペンタエリスリトールに対して３．０モル当量を超えるジメチロールプロピオン酸を反応させると、ジメチロールプロピオン酸が溶剤に対しての溶解性が低い為、安定して多官能モノマー（Ａ）を得ることが難しくなる。ペンタエリスリトール１．０当量に対してジメチロールプロピオン酸の反応量が０．３モル当量を下回る場合、感度は低下し、硬化収縮も大きくなってしまう。
【００１７】
不飽和モノカルボン酸は分子中に不飽和結合を有し、エステル化反応が可能なものであれば特に限定はない。具体的には、アクリル酸、メタクリル酸、更にこれらをカプロラクトン変性した物などが挙げられるが特にこれらに限定されるものではない。
【００１８】
本発明の多官能モノマー（Ａ）の合成においては通常、溶剤を用いるが、その使用量は使途により適宜調整すればよく、また、溶剤は、１種類を単独で用いることもできるし、２種類以上を併せて用いることもできる。
【００１９】
該溶剤としては、例えば、トルエン、キシレン、エチルベンゼン、テトラメチルベンゼン等の芳香族系炭化水素溶剤、ヘキサン、オクタン、デカン等の脂肪族系炭化水素溶剤及びそれらの混合物である石油エーテル、ホワイトガソリン、ソルベントナフサ等が挙げられる。
【００２０】
該溶剤としてはエステル系溶剤でもよく、例えば、酢酸エチル、酢酸プロピル、酢酸ブチル等のアルキルアセテート類、γ−ブチロラクトン等の環状エステル類、エチレングリコールモノメチルエーテルモノアセテート、ジエチレングリコールモノメチルエーテルモノアセテート、ジエチレングリコールモノエチルエーテルモノアセテート、トリエチレングリコールモノエチルエーテルモノアセテート、ジエチレングリコールモノブチルエーテルモノアセテート、プロピレングリコールモノメチルエーテルモノアセテート、ブチレングリコールモノメチルエーテルモノアセテート等のモノ若しくはポリアルキレングリコールモノアルキルエーテルモノアセテート類、グルタル酸ジアルキル、コハク酸ジアルキル、アジピン酸ジアルキル等のポリカルボン酸アルキルエステル類等が挙げられる。
【００２１】
該溶剤としてはエーテル系溶剤でもよく、例えば、ジエチルエーテル、エチルブチルエーテル等のアルキルエーテル類、エチレングリコールジメチルエーテル、エチレングリコールジエチルエーテル、ジプロピレングリコールジメチルエーテル、ジプロピレングリコールジエチルエーテル、トリエチレングリコールジメチルエーテル、トリエチレングリコールジエチルエーテル等のグリコールエーテル類、テトラヒドロフラン等の環状エーテル類等が挙げられる。
【００２２】
該溶剤としてはケトン系溶剤でもよく、例えば、アセトン、メチルエチルケトン、シクロヘキサノン、イソホロン等が挙げられる。
【００２３】
エステル化反応時には、反応を促進させるために酸触媒を使用してもよく、該触媒を使用する場合、その使用量は反応物の総量に対して通常０．１〜１０質量％程度である。その際の反応温度は通常６０〜１５０℃であり、反応時間は通常５〜６０時間である。
【００２４】
該触媒としては、例えば、硫酸、パラトルエンスルホン酸、メタンスルホン酸、トリフルオロメタンスルホン酸などの酸触媒などが挙げられるが、酸触媒であれば特に限定される物ではない。
【００２５】
また、エステル化反応時には熱重合禁止剤を使用してもよい。該熱重合禁止剤としては、例えば、ハイドロキノンモノメチルエーテル、２−メチルハイドロキノン、ハイドロキノン、ジフェニルピクリルヒドラジン、ジフェニルアミン、３，５−ジ−ｔｅｒｔ−ブチル−４−ヒドロキシトルエン等が挙げられる。
【００２６】
本発明においてエネルギー線硬化型樹脂組成物とは、活性エネルギー線によって容易に硬化するものを示す。ここで活性エネルギー線の具体例としては、紫外線、可視光線、赤外線、Ｘ線、ガンマー線、レーザー光線等の電磁波、アルファー線、ベータ線、電子線等の粒子線等が挙げられる。本発明の好適な用途を考慮すれば、これらのうち、紫外線、レーザー光線、可視光線、または電子線が好ましい。
【００２７】
本発明のエネルギー線硬化型樹脂組成物は本発明の多官能モノマー（Ａ）を含むエネルギー線硬化型樹脂組成物である。本発明の多官能モノマー（Ａ）以外の成分に特段の限定はなく、目的に応じて、適宜、成分は選択される。
【００２８】
本発明のエネルギー線硬化型樹脂組成物には樹脂組成物中に９０質量％を上限にその他の成分を加えることもできる。その他の成分としては、光重合開始剤、溶剤、他のモノマー・オリゴマー類、無機充填剤、有機充填剤、シランカップリング剤、粘着付与剤、消泡剤、レベリング剤、可塑剤、酸化防止剤、紫外線吸収剤、難燃剤、染料等を適宜使用することができる。これらその他の成分は、それぞれ１種類を単独で用いることもできるし、２種類以上を併せて用いることもできる。下記に使用しうるその他の成分を例示する。
【００２９】
光重合開始剤の具体例としては、例えばベンゾイン、ベンゾインメチルエーテル、ベンゾインエチルエーテル、ベンゾインプロピルエーテル、ベンゾインイソブチルエーテル等のベンゾイン類；アセトフェノン、２，２−ジエトキシ−２−フェニルアセトフェノン、２，２−ジエトキシ−２−フェニルアセトフェノン、１，１−ジクロロアセトフェノン、２−ヒドロキシ−２−メチル−フェニルプロパン−１−オン、ジエトキシアセトフェノン、１−ヒドロキシンクロヘキシルフェニルケトン、２−メチル−１−［４−（メチルチオ）フェニル］−２−モルホリノ−プロパン−１−オン等のアセトフェノン類；２−エチルアントラキノン、２−ｔ−ブチルアントラキノン、２−クロロアントラキノン、２−アミルアントラキノン等のアントラキノン類；２，４−ジエチルチオキサントン、２−イソプロピルチオキサントン、２−クロロチオキサントン等のチオキサントン類；アセトフエノンジメチルケタール、ベンジルジメチルケタール等のケタール類；ベンゾフェノン、４−ベンゾイル−４’−メチルジフェニルサルファイド、４，４’−ビスメチルアミノベンゾフェノン等のベンゾフェノン類；２，４，６−トリメチルベンゾイルジフェニルホスフィンオキサイド、ビス（２，４，６−トリメチルベンゾイル）−フェニルホスフィンオキサイド等のホスフィンオキサイド類等の公知一般のラジカル型光反応開始剤が挙げられる。
【００３０】
この他、アゾビスイソブチロニトリル等のアゾ系開始剤、過酸化ベンゾイル等の熱に感応する過酸化物系ラジカル型開始剤等を併せて用いても良い。開始剤は、１種類を単独で用いることもできるし、２種類以上を併せて用いることもできる。
【００３１】
溶剤としては本発明の多官能モノマー（Ａ）を合成する際に用いられる溶剤、及びその他の溶剤が本発明においては使用可能である。溶剤は、１種類を単独で用いることもできるし、２種類以上を併せて用いることもできる。
【００３２】
本発明において用いられ得る非反応性化合物とは、反応性の低い、或いは反応性の無い液状若しくは固体状のオリゴマーや樹脂であり、（メタ）アクリル酸アルキル共重合体、液状ポリブタジエン、ジシクロペンタジエン誘導体、飽和ポリエステルオリゴマー、キシレン樹脂、ポリウレタンポリマー、ケトン樹脂、ジアリルフタレートポリマー（ダップ樹脂）、石油樹脂、ロジン樹脂、フッ素系オリゴマー、シリコン系オリゴマーなどを挙げることができるが、これらに限定されるものではない。
【００３３】
（メタ）アクリル酸アルキル共重合体としては繰り返し単位に（メタ）アクリル酸のアルキルエステル又は（メタ）アクリル酸の酸型を含むものである。例えば、ｄｅｇｕｓｓａ．社製のオイドラギットＬ１００−５５、オイドラギットＬ１００、オイドラギットＳ１００、互応化学工業（株）製のプラスサイズＬ−８０１１などが挙げられる。
【００３４】
飽和ポリエステルオリゴマーとしては、例えば、上記のジオール化合物と上記の二塩基酸又はその無水物との反応物であるポリエステルジオールと、（メタ）アクリル酸の反応物等が挙げられる。
【００３５】
本発明において用いられ得る無機充填剤としては、例えば、二酸化珪素、酸化珪素、炭酸カルシウム、珪酸カルシウム、炭酸マグネシウム、酸化マグネシウム、酸化チタン、酸化ジルコニウム、タルク、カオリンクレー、焼成クレー、酸化亜鉛、硫酸亜鉛、水酸アルミニウム、酸化アルミニウム、ガラス、雲母、硫酸バリウム、アルミナホワイト、ゼオライト、シリカバルーン、ガラスバルーン、等を挙げることができる。これらの無機充填剤には、シランカップリング剤、チタネート系カップリング剤、アルミニウム系カップリング剤、ジルコネート系カップリング剤などを添加、反応させるなどの方法により、ハロゲン基、エポキシ基、水酸基、チオール基の官能基を持たせることもできる。
【００３６】
本発明において用いられ得る有機充填剤としては、例えば、ベンゾグアナミン樹脂、シリコーン樹脂、低密度ポリエチレン、高密度ポリエチレン、ポリオレフィン樹脂、エチレン・アクリル酸共重合体、ポリスチレン、アクリル共重合体、ポリメチルメタクリレート樹脂、フッ素樹脂、ナイロン１２、ナイロン６／６６、フェノール樹脂、エポキシ樹脂、ウレタン樹脂、ポリイミド樹脂などを挙げることができる。
【００３７】
本発明において用いられ得るシランカップリング剤としては、例えば、γ−グリシドキシプロピルトレメトキシシラン又はγ−クロロプロピルトリメトキシシラン等のシランカップリング剤、テトラ（２，２−ジアリルオキシメチル−１−ブチル）ビス（ジトリデシル）ホスファイトチタネート、ビス（ジオクチルパイロホスフェート）エチレンチタネート等のチタネート系カップリング剤；アセトアルコキシアルミニウムジイソプロピレート等のアルミニウム系カップリング剤；アセチルアセトン・ジルコニウム錯体等のジルコニウム系カップリング剤、などを挙げることができる。
【００３８】
本発明において用いられ得る粘着付与剤、消泡剤、レベリング剤、可塑剤、酸化防止剤、紫外線吸収剤、難燃剤及び染料は、公知慣用のものであれば如何なるものも、その硬化性、樹脂特性を損なわない範囲で、特に制限無く使用することができる。
【００３９】
本発明のエネルギー線硬化型樹脂組成物を得るには、上記した各成分を混合すればよく、混合の順序や方法は特に限定されない。
【００４０】
本発明において皮膜形成用材料とは、基材表面を被覆することを目的として利用されるものである。具体的な用途としては、グラビアインキ、フレキソインキ、シルクスクリーンインキ、オフセットインキ等のインキ材料、ハードコート、トップコート、オーバープリントワニス、クリヤコート等の塗工（コーティング）材料、ラミネート用、光ディスク用他各種接着剤、粘着剤等の接着材料、フォトレジスト、ソルダーレジスト、エッチングレジスト、マイクロマシン用レジスト等に用いられるレジストインキ、又は保護膜等がこれに該当する。さらには、皮膜形成用材料を一時的に剥離性基材に塗工しフイルム化した後、本来目的とする基材に貼合し皮膜を形成させる、いわゆるドライフイルムも皮膜形成用材料に該当する。
【００４１】
本発明において絶縁材料とは、基材上に該組成物の皮膜層を形成させ、電子回路やその部品などにおいて、対象とする２箇所の間で電気抵抗が大きく電圧を掛けても電流が流れない状態にするエネルギー線硬化型樹脂組成物を指す。具体的な用途としては、フレキシブル配線板のオーバーコート材や多層基板の層間絶縁膜、半導体工業における固体素子への絶縁膜やパッシベーション膜の成型材料、及び半導体集積回路や多層プリント配線板等の層間絶縁材料、基板保護のために用いられるソルダーレジスト等にも好適に用いられる。
【００４２】
本発明のエネルギー線硬化型樹脂組成物を皮膜形成用材料又は絶縁材料として用いる際には、各種塗膜を形成させる。この塗膜を形成させる方法に特に限定はないが、グラビア等の凹版印刷方式、フレキソ等の凸版印刷方式、シルクスクリーン等の孔版印刷方式、オフセット等の平版印刷方式、ロールコーター、ナイフコーター、ダイコーター、カーテンコーター、スピンコーター等の各種塗工方式においても好適に使用することができる。また、成形方法についても特に限定は無いが、加圧成形方式、射出成形方式、押出成形方式等の各成形方式について好適に使用することが出来る。
【００４３】
本発明においてエネルギー線を照射して得られる硬化物とは前記エネルギー線を本発明のエネルギー線硬化型樹脂組成物に照射して硬化せしめたものである。
【実施例】
【００４４】
以下、本発明を実施例により更に詳細に説明するが、本発明はこれら実施例に限定されるものではない。また、実施例中特に断りがない限り、「部」は質量部を示す。
【００４５】
合成例１
ディーンスターク管を取り付けた攪拌容器にペンタエリスリトール２０部、アクリル酸５３．０部、ジメチロールプロピオン酸１９．７部、ハイドロキノン０．２６５部、硫酸２．６５部を仕込み、トルエン中１００℃で脱水エステル化反応を行う。反応開始から１０時間後に反応液を水洗、１％ＮａＯＨ水溶液で洗浄し、次いで洗浄水が中性になるまで水洗を行った。水洗後の溶液をロータリーエバポレーターを用いて減圧下に溶媒を留去し、多官能モノマー（Ａ−１）を約８３部得た。
【００４６】
このようにして得られた多官能モノマー（Ａ−１）の質量平均分子量は７６０、粘度は２５００ｍＰａ・ｓであった。ＧＰＣの測定条件は以下の通りである。
機種：ＴＯＳＯＨ  ＨＬＣ−８２２０ＧＰＣ
カラム：ＴＳＫＧＥＬ  Ｓｕｐｅｒ  ＨＺＭ−Ｎ
溶離液：ＴＨＦ（テトラヒドロフラン）； ０．３５ｍｌ毎分、温度４０℃
検出器：示差屈折計
分子量標準：ポリスチレン
また、粘度は東機産業製Ｅ型粘度計にて、２５℃、１０〜１００ｒｐｍの条件で測定した。
【００４７】
多官能モノマー（Ａ−１）とＤＰＨＡ（日本化薬製ジペンタエリスリトールヘキサアクリレート）、ＤＰＨＡ−４０Ｈ（ジペンタエリスリトールペンタアクリレートにＨＤＩ（ヘキサメチレンジイソシアネート）が結合したウレタン骨格を持つモノマー）それぞれに光重合開始剤と溶剤としてメチルエチルケトンを加えた組成物を表１の内容で調製した。
【００４８】
表１
組成物Ａ        組成物Ｂ        組成物
Ａ−１                          ５ｇ
ＤＰＨＡ                                        ５ｇ
ＤＰＨＡ−４０Ｈ                                                ５ｇ
メチルエチルケトン              ５ｇ            ５ｇ            ５ｇ
Ｉｒｇ．１８４＊                ０．２５ｇ      ０．２５ｇ      ０．２５ｇ
注
＊Ｉｒｇ．１８４（イルガキュアー１８４）：チバ・スペシャルティ・ケミカルズ製（１−ヒドロキシシクロヘキシルフェニルケトン）
【００４９】
得られた組成物をバーコーター（Ｎｏ．２０）を用いて易接着処理ポリエステルフィルム（東洋紡（株）製：Ａ−４３００、膜厚１８８μｍ）に塗布し、８０℃の乾燥炉中に１分間放置後、空気雰囲気下で１２０Ｗ／ｃｍの高圧水銀灯を用い、ランプ高さ１０ｃｍの距離から５ｍ／分の搬送速度で紫外線を照射し、硬化皮膜（３〜４μｍ）を得た。
【００５０】
試験例
得られた硬化皮膜につき、下記項目の評価を行い、その結果を表２に示した。
【００５１】
（鉛筆硬度）
ＪＩＳ  Ｋ  ５４００に従い、鉛筆引っかきを用いて、塗工フィルムの鉛筆硬度を測定した。即ち、測定する硬化皮膜を有するポリエステルフィルム上に、鉛筆を４５度の角度で、上から１ｋｇの荷重を掛け５ｍｍ程度引っかき、傷の付き具合を確認した。５回測定を行い、傷なしの回数を数える。
評価  ５／５：５回中５回とも傷なし
０／５：５回中全て傷発生
【００５２】
（カール）
測定する硬化皮膜を有するポリエステルフィルムを５ｃｍ×５ｃｍにカットし、８０℃の乾燥炉に１時間放置した後、室温まで戻した。水平な台上で浮き上がった４辺それぞれの高さを測定し、平均値を測定値（単位：ｍｍ）とした。この時、基材自身のカールは０ｍｍであった。
【００５３】
表２
評価結果
試験サンプル  鉛筆硬度３Ｈ      カール  
組成物Ａ        ４／５            ４  
組成物Ｂ        ５／５            ８  
組成物Ｃ        ４／５            ７  
【００５４】
本発明の多官能モノマー（Ａ−１）を用いた組成物Ａは組成物Ｂ、Ｃと比較して同等レベルの硬度を持ちながら、カール高さが半分程度であり、硬化収縮が少ないことがわかる。
【産業上の利用可能性】
【００５５】
本発明の多官能モノマー（Ａ）を含む本発明の樹脂組成物は硬化収縮が低く、その硬化物は硬度に優れている。このことから、本発明の樹脂組成物はハードコート、コーティング、保護膜、インキ、絶縁層、接着剤又はフォトレジストインキに好適である。